(57)【特許請求の範囲】
【請求項１】
通信手段を介してサーバから供給される情報を表示するブラウザ装置であって、
上記サーバから供給される情報に対応するアドレス、及びユーザにより登録された分類項目を記憶するための記憶手段と、
画面の第１の領域に上記サーバから供給される情報を表示すると共に第２の領域に上記分類項目に対応するアイコンを表示する表示手段と、
ユーザの操作に従って上記表示手段の画面に表示されたポインタの位置を制御する指示手段と、
上記指示手段により上記ポインタが上記第１の領域の任意の位置から上記第２の領域に表示されているアイコンのうちの１つの所望のアイコンへドラッグアンドドロップされることにより、上記第１の領域に表示されている上記情報に相対するアドレスを上記第２の領域に表示される上記所望のアイコンに対応する上記分類項目に対応させて上記記憶手段に記憶するように制御する制御手段とを備え、
上記制御手段は、上記指示手段により上記ポインタが上記情報に対応するアドレスを表示するアドレス表示領域上の任意の点から上記第２の領域に表示される上記所望のアイコンへドラッグアンドドロップされることにより、上記第１の領域に表示されている上記情報に相対するアドレスを上記第２の領域に表示される上記所望のアイコンに対応する上記分類項目に対応させて上記記憶手段に記憶するように制御するブラウザ装置。
【請求項２】
上記第２の領域が常時上記表示手段の画面に設けられている請求項１に記載のブラウザ装置。
【請求項３】
上記指示手段により上記第１の領域の任意の位置が指示されたとき、上記第２の領域の表示が保持される請求項１記載のブラウザ装置。
【請求項４】
上記指示手段により上記第１の領域の任意の位置が指示されたとき、上記第２の領域が上記表示手段の画面に設けられる請求項１記載のブラウザ装置。
【請求項５】
上記分類をフォルダ型アイコンで表示する請求項１記載のブラウザ装置。
【請求項６】
上記分類をボタン型アイコンで表示する請求項１記載のブラウザ装置。
【請求項７】
通信手段を介してサーバから供給される情報を画面の第１の領域に表示すると共に、画面の第２の領域にユーザにより登録された分類項目に対応するアイコンを表示するように表示部を制御し、上記画面に表示されるポインタがユーザの指示に従って上記第１の領域の任意の位置から上記第２の領域に表示されているアイコンのうちの所望のアイコンへ移行されることにより、上記第１の領域に表示されている上記情報に相対するアドレスを上記第２の領域に表示される上記所望のアイコンに対応する上記分類項目に対応させて記憶し、
上記ポインタが上記情報に対応するアドレスを表示するアドレス表示領域上の任意の点から上記第２の領域に表示される上記所望のアイコンへドラッグアンドドロップされることにより、上記第１の領域に表示されている上記情報に相対するアドレスを上記第２の領域に表示される上記所望のアイコンに対応する上記分類項目に対応させて記憶することをコンピュータに実行させるためのブラウザ用ソフトウェアが記憶された記憶媒体。
【発明の詳細な説明】
【０００１】
本発明は、情報を提供するサーバに接続されるブラウザ装置及び記録媒体に関する。
【０００２】
【従来の技術】
インターネット等のネットワークに接続されて種々のサーバのホームページを閲覧するためのソフトウェアがインストールされている例えばパーソナルコンピュータであるブラウザ装置は、インターネット上の各サーバの所定のホームぺーずのＵＲＬ(Uniform Resouce Locator）アドレスを記憶する機能を有するいわゆるブックマーク機能を有している。
【０００３】
ユーザが、頻繁にアクセスするホームページのアドレスをブラウザ装置に登録することにより、ホームページを閲覧するときに必要な例えばキーボードによるホームページのアドレスの入力等の煩雑な作業が省略されている。ユーザにより予め登録されたホームページの名称やホームページのアドレスをユーザがマウス等により選択するといった簡単な操作で、ユーザは所望のホームページを閲覧できる。
【０００４】
所望のホームページの検索を容易にするため、ユーザにより「スポーツ」、「ニュース」、「芸能」等の所望の分類を示す分類項目が予め作成され、各ホームページの内容に応じて対応するホームページのアドレスが適切な分類項目に登録される機能も知られている。
【０００５】
ホームページのアドレスを分類項目に登録する手順を図１１乃至図１４を用いて説明する。
【０００６】
ユーザにより、図１１に示すように、ステップＳ２０においてブラウザ装置は所望のサーバのホームページにアクセスされると、図１２に示すブラウザ装置の表示部に表示されたウィンドウ３０のホームページ表示エリア３１にアクセス中のサーバのホームページが表示される。ホームページのアドレスは、アドレス表示エリア３２に表示される。
【０００７】
ステップＳ２１において、ユーザにより、マウス、タッチパネル、ペン等のポインティングデバイスである入力装置によってメニューバー３３内のホームページメニュー３４が選択されると、ステップＳ２２においてプルダウンメニュー３５が表示される。
【０００８】
ステップＳ２３において、ユーザによりプルダウンメニュー３５内の追加メニュー３６が選択されると、ステップＳ２４において、図１３に示すダイアログボックス３７がウィンドウ３０上に重ねて表示される。
【０００９】
ステップＳ２５において、ユーザによりダイアログボックス３７内の分類ボタン３８が選択されると、ステップＳ２６において、図１４に示す分類一覧３９が表示される。分類一覧３９には、予め登録された分類項目４０及び分類されていない未整理のホームページの名称あるいはホームページのアドレスが表示される。
【００１０】
ステップＳ２７において、分類一覧３９の中から所望の分類項目４０が選択され、ＯＫボタン４１がクリックされると、ステップＳ２８において、図１２に示すアドレス表示エリア３２に表示されているアドレス、すなわちアクセス中のホームページのアドレスが分類項目内に登録される。
【００１１】
【発明が解決しようとする課題】
上記のように、ユーザが所望のサーバから提供される相対するアドレスを分類して登録するには、非常に冗長な作業が必要である。
【００１２】
図１４に示すように、分類一覧３９は、階層構造が表示されるものであり、分類項目が増えるに従って分類一覧３９はウィンドウ３０の下方に長くなり、ウィンドウ３０上の他の領域を覆い、美的外観を損ねていた。
【００１３】
本発明は、ユーザがサーバより提供される情報に相対するアドレスの分類項目に登録する際の煩雑な操作を簡略化して、簡単な操作でアドレスを分類項目に登録することができるブラウザ装置及び記録媒体を提供することを目的とする。
【００１４】
【課題を解決するための手段】
本発明は、上述したような目的を達成するため、通信手段を介してサーバから供給される情報を表示するブラウザ装置であって、上記サーバから供給される情報に対応するアドレス、及びユーザにより登録された分類項目を記憶するための記憶手段と、画面の第１の領域に上記サーバから供給される情報を表示すると共に第２の領域に上記分類項目に対応するアイコンを表示する表示手段と、ユーザの操作に従って上記表示手段の画面に表示されたポインタの位置を制御する指示手段と、上記指示手段により上記ポインタが上記第１の領域の任意の位置から上記第２の領域に表示されているアイコンのうちの１つの所望のアイコンへドラッグアンドドロップされることにより、上記第１の領域に表示されている上記情報に相対するアドレスを上記第２の領域に表示される上記所望のアイコンに対応する上記分類項目に対応させて上記記憶手段に記憶するように制御する制御手段とを備える。そして、上記制御手段は、上記指示手段により上記ポインタが上記情報に対応するアドレスを表示するアドレス表示領域上の任意の点から上記第２の領域に表示される上記所望のアイコンへドラッグアンドドロップされることにより、上記第１の領域に表示されている上記情報に相対するアドレスを上記第２の領域に表示される上記所望のアイコンに対応する上記分類項目に対応させて上記記憶手段に記憶するように制御する。
【００１５】
また、本発明は、上述したような目的を達成するため、通信手段を介してサーバから供給される情報を画面の第１の領域に表示すると共に、画面の第２の領域にユーザにより登録された分類項目に対応するアイコンを表示するように表示部を制御し、上記画面に表示されるポインタがユーザの指示に従って上記第１の領域の任意の位置から上記第２の領域に表示されているアイコンのうちの所望のアイコンへ移行されることにより、上記第１の領域に表示されている上記情報に相対するアドレスを上記第２の領域に表示される上記所望のアイコンに対応する上記分類項目に対応させて記憶し、上記ポインタが上記情報に対応するアドレスを表示するアドレス表示領域上の任意の点から上記第２の領域に表示される上記所望のアイコンへドラッグアンドドロップされることにより、上記第１の領域に表示されている上記情報に相対するアドレスを上記第２の領域に表示される上記所望のアイコンに対応する上記分類項目に対応させて記憶することをコンピュータに実行させるためのブラウザ用ソフトウェアが記憶された記憶媒体を提供する。
【００１７】
【発明の実施の形態】
以下、本発明に係るブラウザ装置、アドレス登録方法及びブラウザシステムについて、図面を参照しながら説明する。
【００１８】
本発明が適用されたブラウザ装置は、例えば、パーソナルコンピュータからなり、図１に示すように、ブラウザ装置を動作させるプログラムが記録されたハードディスク１と、プログラムに基づいてグラフィカルユーザインターフェース（graphical user interface、以下ＧＵＩという。）を表示する表示部２と、ＧＵＩを利用してユーザがブラウザ装置を操作するためのマウス３と、例えばインターネット上の閲覧可能な画像情報を提供するサーバと通信が行われるモデム４と、インターネット上の複数の画像又は文字情報からなるホームページのアドレスを記憶するアドレス記憶部５とを備える。
【００１９】
ブラウザ装置の各部は、バス６を介して中央制御装置（central processing unit 、以下ＣＰＵという。）７により制御されている。
【００２０】
ユーザによりマウス３あるいは図示しないキーボード、タッチパネル、ペン等の入力装置によってブラウザ装置を起動する指示が行われると、ＣＰＵ７により例えばハードディスク１に記録されたプログラムのうち必要なファイルがランダムアクセスメモリ（random access memory：以下ＲＡＭという。）８に読み込まれプログラムが実行される。プログラムは、フロッピーディスク、光磁気ディスク等の他の記録装置に記録されていてもよい。ＣＰＵ７によりプログラムに基づき、バス６を介して表示部２に後述するＧＵＩが表示される。
【００２１】
ブラウザ装置は、モデム４から例えば電話回線によりプロバイダ等を介してネットワークの一種であるインターネット上の様々なサーバに接続される。ブラウザ装置が動作可能な状態にされたとき、自動的にブラウザ装置とインターネットプロバイダ間の回線が接続されるようにしているが、表示部２にＧＵＩが表示された後に、ユーザにより所定の操作が行われることによりインターネットプロバイダとの回線が接続されるようにしてもよい。
【００２２】
モデム４は、例えばホームページのアドレス等の情報のデジタル信号を電話回線で伝送可能なアナログ信号に変換し、変換された信号を電話回線を介してインターネットプロバイダに供給する。モデム４はインターネットプロバイダから供給される画像情報等のアナログ信号をブラウザ装置で利用可能なデジタル信号に復調する。電話回線が用いられるため伝送信号がアナログ信号とされているが、ターミナルアダプタを介してサービス統合デジタル網（integrated services digital network:ＩＳＤＮ）等に接続されればデジタル信号による情報の伝送も可能である。
【００２３】
ユーザは、上述のようにインターネットプロバイダに接続されたブラウザ装置により、インターネット上の様々なサーバのホームページを閲覧することができる。ユーザは、図示しないキーボード等の入力装置により、キーワードを入力して検索を行ったり、ホームページのアドレスを入力したりして、所望のサーバのホームページにアクセスし、そのホームページが提供する画像情報あるいは文字情報を閲覧する。ユーザにより繰り返し閲覧されるホームページを提供するアドレスが例えばＲＡＭ等からなるアドレス記憶部５に記憶される。ホームページのアドレスを記憶させる手順については後述する。
【００２４】
アドレス記憶部５にホームページのアドレスが記憶される際、ユーザによりアドレスに任意の名称が付けられる。ブラウザ装置は、ユーザに分かり易い名称で複数のアドレスが管理される。
【００２５】
ブラウザ装置の表示部２にＧＵＩとして表示されるブラウザウィンドウ９は、図２に示すように、アクセス中のサーバのホームページが表示される画面の第１の領域であるホームページ表示エリア１０と、そのホームページのアドレスが表示されるアドレス表示エリア１１と、ユーザにより種々の機能が選択されるメニューバー１２とを有している。ブラウザウィンドウ９に重ねて、図１に示すマウス３の動きに連動するポインタ１３が表示されている。ユーザにより操作されるマウス３によってポインタ１３が操作され、ＧＵＩに表示された部分が選択されたり移動されたり種々の機能が実行されたりすることができる。
【００２６】
実際にユーザにより所望のホームページのアドレスがアドレス記憶部５に記憶される手順を図３に示すフローチャートを用いて説明する。必要に応じて図１及び図２を参照する。
【００２７】
ステップＳ１において、ユーザにより所望のサーバのホームページにアクセスする操作が行われる、ＣＰＵ７によりサーバのホームページがホームページ表示エリア１０に表示される。アドレス表示エリア１１には、アクセス中のホームページのアドレスが表示される。
【００２８】
ステップＳ２において、ユーザにより操作されるマウス３によりホームページメニュー１４が選択される操作が行われると、ＣＰＵ７によりステップＳ３において画面の第２の領域であるプルダウンメニュー１５及びプルダウンメニュー１５内にユーザにより予め登録される複数の分類項目が例えばフォルダ型のアイコン１６として表示される。
【００２９】
ステップＳ４において、ユーザによりホームページ表示エリア１０又はアドレス表示エリア１１上の任意の点から、所望のアイコン１６までドラッグアンドドロップされる。すなわち、ユーザにより操作されるマウス３によりポインタ１３がホームページ表示エリア１０又はアドレス表示エリア１１上の任意の位置まで移動されたとき、マウス３に備えるボタンが押圧され、さらにボタンが押圧されたままポインタがアイコン１６まで移動されマウス３のボタンが離される。
【００３０】
標準的なプルダウンメニューは、プルダウンメニュー以外の場所が選択されると表示が消えてしまうが、本ブラウザ装置は、ホームページ表示エリア１０又はアドレス表示エリア１１が選択されてもプルダウンメニュー１５の表示が消えないように制御している。あるいは、ホームページ表示エリア１０又はアドレス表示エリア１１が選択されたときに、プルダウンメニュー１５が表示されるようにしてもよい。
【００３１】
ステップＳ５において、ＣＰＵ７により上述のユーザの操作に応じたマウス３からの入力信号に基づいて、表示されているホームページのアドレスがユーザにより予め作成された分類項目に対応されてアドレス記憶部５に記憶される。ここで、分類項目以外のプルダウンメニュー１５領域内にユーザにより操作されるマウス３のポインタがドラッグアンドドロップされるときは、表示されているホームページのアドレスが分類されるずにアドレス記憶部５に記憶されると共にプルダウンメニュー１５領域内の分類項目に並んでアドレスが記憶されたホームページを示す表示、例えば名称が表示される。
【００３２】
本発明を適用したブラウザ装置は、簡単な操作で、アクセス中のホームページのアドレスを分類項目に対応させて記憶部に記憶させることができる。
【００３３】
上述の手順によりアドレスが登録されたサーバのホームページが閲覧される手順を図４及び図５を用いて説明する。図４に示すブラウザウィンドウ９は、図２に示すブラウザウィンドウ９と同様のものであり、同一の部分については同一の符号を付し詳細な説明は省略する。
【００３４】
図５に示すステップＳ６において、ユーザによりメニューバー１２からホームページメニュー１４が選択されると、ステップＳ７において、ＣＰＵ７によりプルダウンメニュー１５が開かれ複数のアイコン１６が表示される。
【００３５】
ステップＳ８において、ユーザにより複数のアイコン１６の中から閲覧が所望されるホームページに対応するアドレスが登録されている分類項目に対応するアイコン１６が選択されると、ステップＳ９において、ＣＰＵ７により図４に示すホームページ一覧１７が表示される。ホームページ一覧１７には、ユーザにより選択されたアイコン１６が示す分類項目内に登録されているホームページのアドレスあるいは名称が表示される。
【００３６】
ステップＳ１０において、ユーザによりホームページ一覧１７に表示されたホームページのアドレスあるいは名称の中から所望のホームページに対応するアドレスが選択されると、ステップＳ１１において、ＣＰＵ７により選択されたホームページのアドレスあるいは名称に相当するアドレスが図１に示すアドレス記憶部５から読み出され、読み出されたアドレスにより指定されたホームページにアクセスされ所望のホームページがホームページ表示エリア１０に表示される。ユーザは、ホームページメニュー１４を選択し、アイコン１６を選択し、所望のアドレスを選択するという簡単なマウス操作により所望のホームページを閲覧することができる。
【００３７】
ユーザによる分類の便宜のために、分類項目内にさらに詳細な分類項目を設定されることも可能である。例えば、アイコン１６が選択されると、さらに下位の分類項目を示すフォルダ形のアイコンの一覧が表示される。
【００３８】
本発明が適用されたブラウザ装置の表示部２に表示されるＧＵＩの他の表示例を図６に示す。図６に示すブラウザウィンドウ１８において、図２に示すブラウザウィンドウ９と同様の部分には、同じ符号を付して詳細な説明は省略する。図２に示すブラウザウィンドウ９では、アドレスの分類項目を示すフォルダ形のアイコン１６がプルダウンメニュー１５内に表示されていたが、図６に示すブラウザウィンドウ１８では、アドレスの分類項目を示す複数のボタン形のアイコン１９がブラウザウィンドウ１８上に常時表示されている。
【００３９】
複数のアイコン１９が２行２列で示されているが、配列は縦又は横１列とされてもよく、アイコンは如何なる形状とされてもよい。ユーザにより複数のアイコン１９はブラウザウィンドウ１８上の所望の位置に自由に移動されるることができる。複数のアイコン１９は、アプリケーション上あるいはＯＳ上に重畳されるように表示されてもよい。
【００４０】
ブラウザウィンドウ１８により、実際にユーザにより所望のホームページのアドレスがアドレス記憶部５に記憶されるまでの手順を図７に示すフローチャートを用いて説明する。なお、必要に応じて図１及び図６を参照する。
【００４１】
ステップＳ１２において、ユーザにより所望のホームページがホームページ表示エリア１０に表示される。アドレス表示エリア１１には、ホームページ表示エリア１０に表示されているホームページのアドレスが表示される。
【００４２】
ステップＳ１３において、ユーザによりホームページ表示エリア１０又はアドレス表示エリア１１上の任意の点が所望のアイコン１９にドラッグアンドドロップされることにより、ステップＳ１４において、ＣＰＵ７により表示されたホームページのアドレスがユーザにより予め作成された分類項目に対応されてアドレス記憶部５に記憶される。ここで、分類項目以外のブラウザウィンドウ１８の一部にユーザにより操作されるポインタ１３がドラッグアンドドロップされたときには、表示されているホームページのアドレス又は分類されずにアドレス記憶部５に記憶されると共にブラウザウィンドウ１８の一部、例えばアドレス表示エリア１１の右部に並んでアドレスが記憶されたホームページを示す表示、例えば名称などが表示されるボタン型アイコンが形成される。
【００４３】
分類項目がアイコン１９により常時表示されることにより、プルダウンメニューが表示される等の手順が省略されるため、ホームページの登録の手順が一層簡素化される。
【００４４】
ＧＵＩ１８において、上述の手順によりアドレスが登録されホームページが閲覧される手順を図８及び図９を用いて説明する。図８に示すブラウザウィンドウ１８は、図６に示すブラウザウィンドウ１８と同様のものであり、同一の部分については同一の符号を付け詳細な説明は省略する。図８に示すブラウザウィンドウ１８において複数のアイコン１９は、横一列に配列されている。
【００４５】
ユーザにより、図９に示すステップＳ１５において、複数のアイコン１９の中から所望のアイコン１９が選択されると、ステップＳ１６において、ＣＰＵ７により図８に示すホームページ一覧２０が表示される。ホームページ一覧２０には、ユーザにより選択されたアイコン１９に対応する分類項目内に登録されているホームページのアドレスあるいは名称が表示される。
【００４６】
ステップＳ１７において、ユーザにより、表示されたホームページ一覧２０の中から所望のホームページのアドレスあるいは名称が選択されると、ステップＳ１８において、ＣＰＵ７により選択されたホームページのアドレスあるいはホームページの名称に相当するアドレスが図１に示すアドレス記憶部５から読み取られ、アドレスに対応するホームページがホームページ表示エリア１０に表示される。
【００４７】
ユーザは、アイコン１９を選択し、所望のアドレスを選択するという簡単なマウス操作により所望のホームページを閲覧することができる。すなわち、ホームページの分類項目を示すアイコン１９が常時表示されることにより、図４及び図５を用いて説明されたホームページ閲覧の手順より、さらに簡単に所望のホームページが閲覧される。
【００４８】
アイコン１９が通常は表示されず、ユーザにより操作されるマウス３によりホームページ表示エリア又はアドレス表示エリア１１上の任意の点が指示された際に自動的に表示されるようにしてもよい。図７のフローチャートで示すものと同様な極めて簡単な手順でホームページのアドレスが登録されると共に、通常時はアイコン１９が表示されないため、アイコン１９によりホームページ表示エリアの一部が隠されることもない。図２に示す例において、ユーザによりホームページ表示エリア又はアドレス表示エリア１１上の任意の点が選択された際にプルダウンメニュー１５が自動的に表示されるようにしてもよい。
【００４９】
本発明に適用されたブラウザ装置の表示部２に表示されるＧＵＩの他の表示例を図１０に示す。図１０に示すブラウザウィンドウ２１において、図２に示すブラウザウィンドウ９と同様の部分には、同じ符号を付して詳細な説明は省略する。ブラウザウィンドウ２１は、ホームページ表示エリア１０と、アドレス表示エリア１１と、ファイル表示エリア２２とを有し、ファイル表示エリア２２には、例えば図１に示すハードディスク１、アドレス記憶部５及びブラウザ装置に接続された種々の補助記憶装置内のディレクトリ及びファイルがツリー形式で表示される。
【００５０】
分類項目は、ファイル表示エリア２２のホームページディレクトリの下位に、複数のサブディレクトリとして表示される。それぞれのディレクトリは、例えばフォルダ型のアイコンにより示される。
【００５１】
ウィンドウ２１を用いてユーザによりホームページ表示領域１０に表示中のホームページのアドレスが登録される操作は、ユーザによりホームページ表示エリア１０又はアドレス表示エリア１１上の任意の位置がマウス３により選択され、ファイル表示エリア２２に表示された、所望のディレクトリを示すフォルダ形のアイコンに移動されるだけでよい。ブラウザ装置は、アドレス表示エリア１１に表示されたホームアドレスのアドレスが分類項目に対応されて図１に示すアドレス記憶部５に記憶される。
【００５２】
ハードディスクとアドレス記憶部をそれぞれ独立に備えるブラウザ装置が用いられているが、例えば図１に示すアドレス記憶部５をハードディスク１内に設けることもできる。
【００５３】
パーソナルコンピュータとブラウザプログラムから構成されるブラウザ装置を用いて説明してきたが、本発明はそのような形態に限定されず、必要な入出力装置を備える例えば通信機能付きワードプロセッサ、インターネットテレビジョン、ローカルエリアネットワーク等で接続されたホストコンピュータと入力用端末の組み合わせ等に本発明を適用できる。
【００５４】
上述の説明では、本発明をブラウザ装置、アドレス登録方法及びブラウザシステムについて説明したが、本発明で示すアドレス登録方法が適用可能なブラウザソフトウエアが記憶される記憶媒体にも適用できる。
【００５５】
入力装置としてマウス入力装置を用いて説明してきたが、入力装置に例えばペン型入力装置等を用いることもできる。
【００５６】
さらに、本発明を適用したブラウザ装置からインターネット上のサーバのホームページを閲覧する場合について説明してきたが、本発明はインターネットに接続されない独立したネットワーク上のサーバの情報を閲覧する場合にも適用することができる。
【００５７】
【発明の効果】
本発明は、サーバから提供される情報を表示部の画面の第１の領域に表示すると共に、ユーザにより登録された分類項目に対応するアイコンを表示部の画面の第２の領域に表示し、ユーザ操作によりポインタが第１の領域の任意の点から第２の領域に表示されているアイコンのうちの１つの所望のアイコンにドラックアンドドロップされることにより、第１の領域に表示されている情報に相対するアドレスを所望のアイコンに対応する分類項目に対応させて記憶手段に記憶することで、ユーザにより所望のサーバのアドレスが分類されて登録される際の操作が著しく簡略化される。
更に、ポインタがアドレス表示領域上の任意の点から第２の領域に表示される所望のアイコンへドラッグアンドドロップされることにより、第１の領域に表示されている情報に相対するアドレスを第２の領域に表示される所望のアイコンに対応する分類項目に対応させて記憶することで、ユーザにより所望のサーバのアドレスが分類されて登録される際の操作が一層著しく簡略化される。
【図面の簡単な説明】
【図１】本発明を適用したブラウザ装置の構成を示す図である。
【図２】フォルダ型の分類項目用アイコンを表示するウィンドウを示す図である。
【図３】フォルダ型の分類項目用アイコンにアドレスを登録する手順を示すフローチャートである。
【図４】フォルダ型の分類項目用アイコンからアドレスを選択する際のウィンドウを示す図である。
【図５】フォルダ型の分類項目用アイコンからアドレスを選択する手順を示すフローチャートである。
【図６】ボタン型の分類項目用アイコンを表示するウィンドウを示す図である。
【図７】ボタン型の分類項目用アイコンにアドレスを登録する手順を示すフローチャートである。
【図８】ボタン型の分類項目用アイコンからアドレスを選択する際のウィンドウを示す図である。
【図９】ボタン型の分類項目用アイコンからアドレスを選択する手順を示すフローチャートである。
【図１０】ウィンドウの他の表示例を示す図である。
【図１１】従来のアドレス登録の手順を示すフローチャートである。
【図１２】従来のブラウザ装置の表示部に表示されるウィンドウを示す図である。
【図１３】従来のアドレス登録用ダイアログボックスを表示するウィンドウを示す図である。
【図１４】従来の分類項目を表示するウィンドウを示す図である。
【符号の説明】
１  ハードディスク、  ２  表示部、  ３  マウス、  ４  モデム、  ５  アドレス記憶部、  ６  バス、  ７  ＣＰＵ、  ８  ＲＡＭ。
【図１】
0004659931.tif 000002
【図２】
0004659931.tif 000003
【図３】
0004659931.tif 000004
【図４】
0004659931.tif 000005
【図５】
0004659931.tif 000006
【図６】
0004659931.tif 000007
【図７】
0004659931.tif 000008
【図８】
0004659931.tif 000009
【図９】
0004659931.tif 000010
【図１０】
0004659931.tif 000011
【図１１】
0004659931.tif 000012
【図１２】
0004659931.tif 000013
【図１３】
0004659931.tif 000014
【図１４】
0004659931.tif 000015